(57)【要約】【課題】スクリーン降下状態における四隅の隙間が生ずることなく、気密性の高い可変間仕切りボックスを提供する。【解決手段】枠状に組立られたシャッタケース１２の各辺の内部にシャフト１２を回転可能に収装し、シャフト１２の外周にはスクリーン１６を巻き付ける。スクリーン１６の隣接縁部に沿ってファスナ２８を設け、ケース１２からの繰り出し端下部にスライダー３０を固定配置し、繰出時にファスナ２８がスライダ３０を通過し、スクリーン１２同士が接合し、巻取時にファスナ２８がスライダ３０を通過することで離間する。【選択図】    図１
2005248486.tif 000002
【特許請求の範囲】
【請求項１】
枠状に組み立てられたシャッターケースの各辺の内部に巻取用シャフトを回転可能に収装し、かつ各シャフトの外周にはロールスクリーンを巻取、繰り出し可能に巻き付けた可変間仕切りボックスであって、
前記各ロールスクリーンの隣接縁部に沿ってファスナーを設けるとともに、前記各ロールスクリーンのシャッターケースからの繰り出し端下部に前記ファスナー同士の接合及びその解除を行うためのスライダーを固定配置し、
繰出し時において、前記各ファスナーが前記スライダーを通過することで、その下部側で前記ロールスクリーン同士がファスナーを介して互いに接合し、
巻取り時において、前記各ファスナーが前記スライダーを通過することでその上部側で離間し、各ロールスクリーンがそれぞれのシャフトに各別に巻取られるようにしたことを特徴とする可変間仕切りボックス。
【請求項２】
請求項１において、前記各シャフトが互いに連繋して巻取、繰り出し方向に回転可能に軸受けされていることを特徴とする可変間仕切りボックス。
【請求項３】
請求項１または２において、前記シャッターケースが室内の天井面に固定されていることを特徴とする可変間仕切りボックス。
【請求項４】
請求項１または２において、前記シャッターケースが室内の天井面より吊り下げ状態に固定されていることを特徴とする可変間仕切りボックス。
【請求項５】
請求項１または２において、前記シャッターケースは複数の折り畳み式支柱の上端に連結され、支柱を立設することで自立状態に支持されることを特徴とする可変間仕切りボックス。
【発明の詳細な説明】
【技術分野】
【０００１】
本発明は、ロールスクリーンを有効利用した可変間仕切りボックスに関する。
【背景技術】
【０００２】
例えば、物販店などにおける服飾品売り場に設けられる試着ブース、医療施設以外の場所に臨時的に設けられる診察ブース、禁煙ゾーンにおける喫煙ブースなど、日常的には間仕切り無しで開放的に使用されている居室内の特定の場所や、屋外の任意の場所を必要に応じて局所的に間仕切りし、隔離空間を形成する場合、壁などに収納されたスライド式の間仕切りを引き出して間仕切りを形成する方法や、ロールスクリーンを降下させて間仕切りを形成する方法、あるいはカーテンを展開して間仕切りを形成する方法などが一般的である。
【発明の開示】
【発明が解決しようとする課題】
【０００３】
これら従来の方法において、ブースを矩形状に仕切った隔離空間とする場合、可動式間仕切りの場合には、その部材を人力により引き出し、組立てる必要があるため、間仕切りを形成する作業毎に時間と労力を必要とする。
【０００４】
また、カーテンレールを矩形状に配置し、これに沿ってカーテンを周回させて仕切る方法では、気密性に問題が生ずるとともに、格納時にカーテンの全荷重がカーテンレールの一箇所に集中するため、比較的大きな隔離ブースを形成しようとする場合に、支持強度上の問題が大きく、しかも格納状態においてもカーテンが外方に見えてしまうために見栄え上の課題も生ずる。
【０００５】
これに対し、ロールスクリーンのシャッターケースを矩形枠状に組んで、天井面あるいは天井裏に配置しておき必要に応じて四方のロールスクリーンを降下させて間仕切りを形成する場合には、巻取格納状態では全てが隠されるため、見栄えがよい。反面、展張状態では隣り合うスクリーン間に隙間ができ、気密性に劣る。
【０００６】
本発明は、矩形状空間に仕切る場合におけるロールスクリーンによる可動間仕切りの利点を享有しつつ、その欠点であった降下状態における四隅の隙間が生ずることなく、気密性を向上させた可変間仕切りボックスを提供するものである。
【課題を解決するための手段】
【０００７】
前記目的を達成するため本発明は、枠状に組立てられたシャッターケースの各辺の内部に巻取用シャフトを回転可能に収装し、かつ各シャフトの外周にはロールスクリーンを巻取、繰り出し可能に巻き付けた可変間仕切りボックスであって、前記各ロールスクリーンの隣接縁部に沿ってファスナーを設けるとともに、前記各ロールスクリーンのシャッターケースからの繰り出し端下部に前記ファスナー同士の接合及びその解除を行うためのスライダーを固定配置し、繰出し時において、前記各ファスナーが前記スライダーを通過することで、その下部側で前記ロールスクリーン同士がファスナーを介して互いに接合し、巻取り時において、前記各ファスナーが前記スライダーを通過することでその上部側で離間し、各ロールスクリーンがそれぞれのシャフトに各別に巻取られるようにしたことを特徴とするものである。
【０００８】
また、本発明では前記各シャフトが互いに連繋して巻取、繰り出し方向に回転可能に軸受けされていることが望ましい。
【０００９】
さらに本発明では、前記シャッターケースが室内の天井面に固定されているようにもできるし、室内の天井面より吊り下げ状態に固定されている構成とすることも可能である。また、本発明では、シャッターケースは複数の折り畳み式支柱の上端に連結され、支柱を立設することで自立状態に支持される構成とすることもできる。
【発明の効果】
【００１０】
下降時においては、隣接するロールスクリーン同士は、繰り出された状態でファスナーを介して自動的に接合されるため、展開状態では隙間なく仕切られ、また巻取状態ではファスナの結合が解除されるため、巻取操作に支障を生ずることがない。
【００１１】
また、本発明では、各ロールスクリーンを連動して巻取繰り出しできるため、ファスナーによる接合及びその解除の支障がない。
【００１２】
室内での使用は天井面に固定してもよいし、吊り下げてもよく、階高などに応じて適宜使い分けることができるほか、シャッターケースを折り畳み式支柱により保持する構造とすることで、野外などの仮設設備として使用できる。
【発明を実施するための最良の形態】
【００１３】
以下、本発明の実施形態を添付図面を参照して説明する。図１において、可変間仕切りボックス１０は、矩形枠状に組み立てられたシャッターケース１２と、シャッターケース１２の各辺の内部にそれぞれ収装された四本の巻取用シャフト１４と、各シャフト１４の外周に繰り出し巻取可能に巻き付けられシャッターケース１２の下部に形成されたスリット（図示省略）を通じて降下されるたロールスクリーン１６及びスクリーン１６の下部に矩形枠状に一体化されたウエイト兼用の座板１８とを備えている。
【００１４】
各シャフト１４は、図２に示すように、シャッターケース１２内に設けたＬ字形の軸受けブラケット２０に両端を回転可能に軸支されているとともに、各ブラケット２０からの突出端にはそれぞれ一対の傘歯車２２等の動力伝達機構が固定され、この傘歯車２２によりそれぞれのシャフト１４の回転を互いに相手側に直角方向に伝達する。各シャフト１４のうちの一つには、クラッチ２４を介して巻き上げ用モータ２６が連結している。
【００１５】
巻き上げ用モータ２６は、シャフトの外側に設置することにより、チェーン、ギア等により回転力を伝達する方式としても、またシャフトの内側に内蔵されてシャフト自体が回転する方式としてもよい。モータ２６を内蔵する場合は、各シャフトにモータ２６を内蔵し、各モータを同調回転することにより、傘歯車等による動力伝達機構を省略することも可能である。
【００１６】
したがって、モータ２６の回転駆動により各シャフト１４を回転させてスクリーン１６の巻上げを行い、巻き上げ完了状態ではクラッチ２４が接続状態となり、各スクリーン１６を格納状態に保持する。
【００１７】
また、巻取状態からクラッチ２４の断信号により、各シャフト１４は自由回転可能となり、座板１８の自重によりスクリーン１６を繰り出して降下させ、図１に示すように座板１８の着座により室内を矩形状の空間に仕切る。
【００１８】
角部である各スクリーン１６の隣接位置にはこれの側縁部に沿ってファスナ２８（ジッパーともいう）が設けられ、このファスナ２８に対応してシャッターケース１２の角部における下部位置にはスライダー３０が固定配置されている。
【００１９】
前記ファスナ２８は縫製品などの開閉に用いられる一般的なものであるが、一般とは逆にファスナ２８が移動し、スライダー３０側が固定されている点が異なっている。詳しくは、図１の一部に拡大して示すように、ファスナ２８はスクリーン１６の側縁にそれぞれ縫合などにより連結された一対のファスナテープ３２と、テープ３２の側縁に沿って配列された多数の噛合素子３４（エレメント、あるいは歯務とも称するかみ合い部分）とからなっている。
【００２０】
スライダー３０は図示しない固定ブラケットなどにより両ファスナ２８の合流地点に固定されたもので、スライダー３０内のＹ字形通路を両ファスナ２８が下部側に向けて通過することでその下部側において歯合素子３４同士が互いに係合して合流し、両スクリーン１６の側縁を閉止する。逆に上部側に向けて通過することにより、その上部側で係合を解除しつつ左右に分岐され、スクリーン１６はそれぞれのシャフト個別に１４に巻回される。
【００２１】
なお、拡大図中符号３６はスライダー３０の上部に一体に突設された噛み込み防止用の分岐金物であり、例えば一方のスクリーン１６の端縁に、ファスナの２８表面を覆うための重ね布などが逢着されていた場合に、ファスナ２８の移動時において、この重ね布がスライダー３０に噛み込むことを防止する機能、あるいはそうでない場合においても、異物がスライダー３０に噛み込むことを防止するための機能を備えている。
【００２２】
さらに、図１に示すように、スクリーン１６の四面のうちの少なくとも一面には開閉式扉３８が設けられている。  
この扉３８は、スクリーン１６に斜めにスリット３８ａを形成た直角三角形状のエリアが該当し、その直下の座板１８の一部１８ａを図示しないヒンジ及びバネなどを介して回動可能に切り離したもので、通常は閉止状態であってバネ力などによりスリット３８ａは閉じられ、使用者が当該エリアを押す（内部側からは引く）ことによって内部に出入りできるようになっている。
【００２３】
なお、以上の実施形態では、モータ・クラッチなどの動力機構を用いてスクリーン１６を昇降させるようにしたが、手動で行ってもよい。この場合、下降作業は人手で引っ張って行い、また上昇作業では一般のロールスクリーンに見られるように、シャフト１２に内蔵したバネの復元力によって軽く持ち上げるだけで自動的に巻き上げるようにすることができる。また、動力伝達用の傘歯車２２などもモータ電動の場合に比べて必ずしも必要とはしない。
【００２４】
また、実施形態では平面視矩形状とした可変間仕切空間としたが、三角形状以上であれば、要求される間仕切り面積、断面形状に応じて５角形、６角形などの製作も可能であることは勿論である。
【００２５】
次に、以上の可変間仕切りボックス１０の実際の適用例を説明する。まず、図３は、シャッターケース１２を天井部４０に固定して使用する場合を示すものである。この例では、シャッターケース１２は複数のブラケット４２を介して天井部４０に固定され、また近くの壁面にはスクリーン１６の昇降操作用ボタン４４が固定されている。
【００２６】
（ａ）に示すように非使用時においては、スクリーン１６はシャッターケース１２内に格納されているため、室内の通行などの障害にはならない。  
また、（ｂ）に示すようにスクリーン１２を床面４６におろした状態ではその内部は室内の他の場所から完全に隔離されるので、例えば図示のごとく健康診断や、集団検診などにおける医療施設以外の場所での臨時の診療ブースとして利用可能であるほか、例えば着替え、服飾店などにおける試着用スペースなどとしても有効利用できる。
【００２７】
次に、図４は天井高が高い場合の適用例であって、シャッターケース１２を天井部４０から複数の吊下用ワイヤＷなどを介して吊り下げている場合を示している。
【００２８】
この例ではシャッターケース１２の内側を天板などで覆い、スクリーン１６の降下閉止状態においてダクト４８及び排気ファン５０により内部を負圧に保ちながら汚染物質などの検査を行っている場合を例示している。このように負圧に保つことにより、ほかに影響を与えることなく汚染物質検査を行えるほか、喫煙ブースなどにも使用可能である。
【００２９】
なお、この例において、ダクト４８及び排気ファン５０は設けることなく、前記ワイヤＷを巻き上げ式とすることにより、通常はシャッターケース１２を天井面に接した状態で格納し、必要に応じてワイヤーＷを吊りおろした上でスクリーン１６を降下させて周囲から隔離するなども可能であり、例えばイベント性の高い各種用途に用いることができる。
【００３０】
さらに、図５は、以上の可変間仕切りボックス１０を屋外で使用する場合を示す。この場合には、シャッターケース１２の四隅には上端をシャッターケース１２の四隅下部に回動可能に連結し、下端を土台５２に回動可能に連結した四つの中折れ式柱５４を備えている。
【００３１】
まず（ａ）に示すように土台５２及び柱５４をシャッターケース１２の下面に折り畳んだ状態で設置現場上に設置する。その後（ｂ）に示すように柱５４をその中間回動点５４ａを左右に押し広げつつ立ち上げていく。立ち上げ完了後は、中間回動点５４ａを起立状態にロックすれば、シャッターケース１２は柱５４に支えられて自立するので、その後は、スクリーン１６を降下すれば、間仕切りボックス１０で囲われた間仕切り空間が形成される。
【００３２】
この使用例では、例えば震災時や、屋外イベント時における屋外での着替えや、仮設トイレの覆いなどに適用可能である。また、この場合には全て人力で組立、スクリーンの昇降操作ができる構造とすればよい。
【図面の簡単な説明】
【００３３】
【図１】本発明に係る可変間仕切りボックスの一部拡大部分を有する斜視図である。
【図２】同シャッタボックス内の構成を示す平断面図である。
【図３】（ａ），（ｂ）は可変間仕切りボックスを室内用とした第１の適用例を示す説明図である。
【図４】同第２の適用例を示す説明図である。
【図５】（ａ）〜（ｃ）は可変間仕切りボックスを屋外用とした適用例を示す説明図である。
【符号の説明】
【００３４】
１０  可変間仕切りボックス
１２  シャッターボックス
１４  巻取用シャフト
１６  ロールスクリーン
２０  軸受けブラケット
２２  連繋手段（傘歯車）
２４，２６  繰り出し巻取手段（２４クラッチ、２６  巻き上げ用モータ）
２８  ファスナ
３０  固定式スライダー
４０  天井部
４２  ブラケット（固定手段）
５４  中折れ式柱
Ｗ    吊下用ワイヤ
【図１】
2005248486.tif 000003
【図２】
2005248486.tif 000004
【図３】
2005248486.tif 000005
【図４】
2005248486.tif 000006
【図５】
2005248486.tif 000007